(57)【要約】【課題】メンテナンス時及び試運転時の運転データが失われず、システム異常時等における解析を円滑に行うための過去のデータを蓄積していくことが可能な空気調和機を得ること。【解決手段】リモコン３により制御される室内機１と、室内機１に接続された室外機５とを備える空気調和機であって、室外機５はメンテナンス時及び試運転時の室外機５に含まれる部品の状態量である室外機状態量を取得する室外機状態量取得部（圧縮機データ取得部５２及び熱交換器データ取得部５３）を備え、室内機１はメンテナンス時及び試運転時の室内機１に含まれる部品の状態量である室内機状態量を取得する室内機状態量取得部（熱交換器データ取得部１１）と、室外機状態量及び室内機状態量を記憶する記憶部２とを備える構成とする。【選択図】図１
2015224814.tif 000002
【特許請求の範囲】
【請求項１】
リモコンにより制御される室内機と、該室内機に接続された室外機とを備える空気調和機であって、
前記室外機はメンテナンス時及び試運転時の前記室外機に含まれる部品の状態量である室外機状態量を取得する室外機状態量取得部を備え、
前記室内機は前記メンテナンス時及び前記試運転時の前記室内機に含まれる部品の状態量である室内機状態量を取得する室内機状態量取得部と、前記室外機状態量及び前記室内機状態量を記憶する記憶部とを備えることを特徴とする空気調和機。
【請求項２】
前記室外機状態量に前記室外機内の熱交換器の温度が含まれることを特徴とする請求項１に記載の空気調和機。
【請求項３】
前記室外機状態量に前記室外機内の圧縮機の情報が含まれることを特徴とする請求項１に記載の空気調和機。
【請求項４】
前記室内機状態量に前記室内機内の熱交換器の情報が含まれることを特徴とする請求項１に記載の空気調和機。
【請求項５】
前記記憶部が補正部を備え、
前記記憶部に新たに記憶すべきデータを記憶するに際して前記記憶部の空き容量が設定したしきい値以下である場合には、
前記補正部は、前記記憶部に記憶されたデータのうち初期データの値を基準データ値とし、前記記憶部に記憶されたデータのうち前記基準データ値以下のデータを削除して前記記憶部に空き領域を確保して前記新たに記憶すべきデータを記憶し、
新たに記憶すべきデータがさらに発生すると、前記基準データ値を超えたデータ値のみが記憶されるよう処理を行うことを特徴とする請求項１に記載の空気調和機。
【請求項６】
前記リモコンがリモコン記憶部を備え、前記リモコン記憶部が前記室外機状態量及び前記室内機状態量を記憶することを特徴とする請求項１から請求項５のいずれか一項に記載の空気調和機。
【発明の詳細な説明】
【技術分野】
【０００１】
本発明は、空気調和機に関する。
【背景技術】
【０００２】
従来、空気調和機のリモコンでは、メンテナンス時及び試運転時に、圧縮機の消費電流、空気調和機の動作の積算時間、運転回転数、運転周波数等のデータや、室外機の吐出温度、熱交換器の温度、外気温度のデータ等の運転データを、室内機と通信線にて接続されたワイヤードリモコンに表示する。
【０００３】
例えば、特許文献１には、「時刻が過去に補正されても履歴情報を正確に時系列に取得し、システム異常時などにおける解析を円滑に行う」ことを目的として、「時刻補正手段５によって時刻が現在より過去に補正された場合でも、それ以降の履歴は情報管理手段６からの指示によって別の制御履歴データとして記憶手段７に記憶され、さらに制御履歴データには時刻補正前までに記憶されている制御履歴データに続く連番が付与されることにより、制御履歴データに付加されている連番から日時情報に惑わされることなく実際の状態の変化順に履歴情報を取得することができ、システム異常時などにおける解析を円滑に行うことができる」空気調和機のリモコンが開示されている。特許文献１に開示された空気調和機のリモコンでは、制御履歴データをリモコンに保存する。
【先行技術文献】
【特許文献】
【０００４】
【特許文献１】特開２００９−１４４９６０号公報
【発明の概要】
【発明が解決しようとする課題】
【０００５】
しかしながら、上記従来の技術によれば、過去のメンテナンス時及び試運転時の運転データをリモコンに保存するため、運転データを保存しているリモコンが故障した場合には保存した過去の運転データは失われてしまい、また、運転データを保存しているリモコンを他の（新しい）リモコンに交換してしまうと、蓄積された過去のデータを参照することができない。そのため、リモコンの状態によっては、システム異常時等における解析を円滑に行うことができない、という問題があった。
【０００６】
本発明は、上記に鑑みてなされたものであって、メンテナンス時及び試運転時の運転データが失われず、システム異常時等における解析を円滑に行うための過去のデータを蓄積していくことが可能な空気調和機を得ることを目的とする。
【課題を解決するための手段】
【０００７】
上述した課題を解決し、目的を達成するために、本発明は、リモコンにより制御される室内機と、該室内機に接続された室外機とを備える空気調和機であって、前記室外機はメンテナンス時及び試運転時の前記室外機に含まれる部品の状態量である室外機状態量を検知して取得する室外機状態量取得部を備え、前記室内機は前記メンテナンス時及び前記試運転時の前記室内機に含まれる部品の状態量である室内機状態量を検知して取得する室内機状態量取得部と、前記室外機状態量及び前記室内機状態量を記憶する記憶部とを備えることを特徴とする。
【発明の効果】
【０００８】
本発明によれば、メンテナンス時及び試運転時の運転データが失われず、システム異常時等における解析を円滑に行うための過去のデータを蓄積していくことが可能な空気調和機を得ることができる、という効果を奏する。
【図面の簡単な説明】
【０００９】
【図１】図１は、実施の形態１にかかる空気調和機の構成を示すブロック図である。
【図２】図２は、実施の形態１にかかる空気調和機のリモコンの外観を示す図である。
【図３】図３は、実施の形態２にかかる空気調和機の構成を示すブロック図である。
【発明を実施するための形態】
【００１０】
以下に、本発明にかかる空気調和機の実施の形態を図面に基づいて詳細に説明する。なお、この実施の形態によりこの発明が限定されるものではない。
【００１１】
実施の形態１．
図１は、本発明にかかる空気調和機の実施の形態１の構成を示すブロック図である。図１に示す空気調和機は、記憶部２を有する室内機１と、表示部４を有するリモコン３と、室内機１に接続された室外機５を備える。
【００１２】
記憶部２は不揮発性メモリを有し、不揮発性メモリとしてはＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）を例示することができる。ＥＥＰＲＯＭは容易に入手可能であり、記憶部２の不揮発性メモリとしてＥＥＰＲＯＭを用いると、コストの削減及び生産性の向上を図ることができる。記憶部２には、少なくともメンテナンス時及び試運転時の運転データが記憶される。
【００１３】
図２は、本実施の形態にかかる空気調和機のリモコン３の外観の一例を示す図である。図２に示すリモコン３は、表示部４と、操作ボタン６と、ランプ７とを有する。図２に例示するリモコン３の操作ボタン６は、運転の開始及び停止を制御する「運転停止ボタン」と、メニュー画面を表示させる「メニューボタン」と、表示部４に表示された機能選択画面において選択部分を上下左右に移動させるボタンと、機能選択画面において選択した機能の決定を行う「決定ボタン」と、機能選択画面において１つ前の画面に戻る「戻るボタン」とを備える。ユーザは、表示部４の表示内容を確認しつつ操作ボタン６を操作することで、室内機１の運転を制御する。また、ランプ７は、運転状態等の表示を行うために用いられ、空気調和機の運転状態等に応じて点灯または点滅する。
【００１４】
また、室内機１は、熱交換器１０を備え、熱交換器１０には熱交換器データ取得部１１が接続されている。熱交換器データ取得部１１は温度センサ等を含み、熱交換器１０の温度等を検出して取得する。室外機５は、圧縮機５０及び熱交換器５１を備え、圧縮機５０には圧縮機データ取得部５２が接続され、熱交換器５１には熱交換器データ取得部５３が接続されている。圧縮機データ取得部５２は電流センサ及びタイマ等を含み、圧縮機５０の運転電流（消費電流）及び運転の積算時間等を取得する。熱交換器データ取得部５３は温度センサ等を含み、熱交換器５１の温度等を検出して取得する。
【００１５】
次に、本実施の形態にかかる空気調和機の動作について説明する。まず、ユーザがリモコン３を用いて、室内機１及び室外機５の電源をオンし、「メンテナンス及び試運転」動作モードに設定する。「メンテナンス及び試運転」動作モードにおいては、室内機１に設けられた熱交換器１０の温度等を熱交換器データ取得部１１が取得し、室外機５に設けられた熱交換器５１の温度等を熱交換器データ取得部５３が取得し、圧縮機５０の消費電流等を圧縮機データ取得部５２が取得する。熱交換器データ取得部１１，５３及び圧縮機データ取得部５２が取得したデータは室内機１の記憶部２に保存される。そして、「メンテナンス及び試運転」動作モードの終了後には動作モードを通常運転モードに切り替える。このようにして、「メンテナンス及び試運転」動作モードにおける熱交換器の温度及び圧縮機の消費電流等のデータが記憶部２に保存される。
【００１６】
その後、通常運転モードにより運転を行い、通常運転モード時にシステム異常等が生じた場合には、記憶部２に保存された過去の「メンテナンス及び試運転」動作モード時のデータを参照することができる。本発明においては、図１に示すように、「メンテナンス及び試運転」動作モード時のデータをリモコン３ではなく室内機１の記憶部２に備える構成としたため、リモコン３が故障しても「メンテナンス及び試運転」動作モード時のデータが消失せず、また、リモコン３を他の（新しい）リモコンに交換したとしても、室内機１の記憶部２からデータを読み出すことが可能である。このように、室内機１の記憶部２に「メンテナンス及び試運転」動作モード時のデータを保存することで、リモコンが故障しまたはリモコンの交換後であっても、蓄積された過去のデータを参照して現在のデータとの比較を行うことで、異常箇所の特定等が容易になり、異常（故障）の解析を円滑に行うことができる。
【００１７】
なお、本実施の形態においては、室内機の記憶部に保存するデータとして、室内機に含まれる熱交換器の温度情報と、室外機に含まれる熱交換器の温度情報と、室外機に含まれる圧縮機の消費電流とを例示したが、本発明はこれに限定されるものではない。室内機の記憶部に保存されるデータとしては、空気調和機の状態量であればよく、例えば冷媒若しくは外気の温度または圧縮機の運転周波数を例示することができる。
【００１８】
また、メンテナンス及び試運転時にエラーが生じた場合には、リモコン３の表示部４が点滅し、またはランプ７が点滅することで、ユーザにエラーを知らせる構成であってもよい。
【００１９】
本実施の形態にて説明したように、空気調和機の異常（故障）の解析を円滑に行うことができるため、部品の修理または交換を効率的に的確に行うことができ、空気調和機を長寿命化させることができる。
【００２０】
実施の形態２．
図３は、本発明にかかる空気調和機の実施の形態２の構成を示すブロック図である。図３に示す空気調和機は、記憶部に補正部を含むことが実施の形態１の図１に示す空気調和機と異なり、他の構成は図１に示す空気調和機と同様である。
【００２１】
補正部８は、記憶部２ａの空き容量を把握して、記憶部２ａにデータが蓄積されると、記憶部２ａの容量を確保する。補正部８は、記憶部２ａに保存すべきデータが発生して、新たに発生したデータを保存する際に空き容量を確認し、この空き容量が設定したしきい値以下である場合には、記憶部２ａにデータを保存する領域を確保するために、保存しているデータに対して処理を行う。
【００２２】
ここで、記憶部２ａにデータを保存する領域を確保するために行う保存しているデータに対する処理の一例について説明する。なお、処理の対象となるデータのすべてには時刻情報が付されているものとする。処理の対象となるデータに付された時刻情報をもとに、これらのうち最も古いデータ（初期データ）のデータ値（例えば、室内機１ａの熱交換器１０の温度＝５０℃）をデータ基準値として設定する。その後、記憶部２ａに蓄積されていった処理の対象となるデータと、データ基準値とを比較し、データ基準値を超えたデータ値（例えば、室内機１ａの熱交換器１０の温度＝５５℃）のみを残し、他のデータを破棄して記憶領域を確保する。
【００２３】
そして、その後の動作において発生する記憶部２ａに保存すべきデータは、保存する際に前記データ基準値との比較を行って前記データ基準値を超えたデータ値のみを保存していく。
【００２４】
なお、本実施の形態においては、前記データ基準値を超えたデータ値を保存する構成としたが、本発明はこれに限定されるものではなく、前記データ基準値を超えたデータ値を破棄し、前記データ基準値以下のデータ値を保存する構成としてもよい。
【００２５】
本実施の形態にて説明したように、記憶部２ａのデータを処理することで、時刻情報と関連付けられた異常データ値のみが残る。そのため、記憶部２ａを効率的に利用しつつ、システム異常時等における解析を円滑に行うための過去のデータを蓄積していくことができる。
【００２６】
なお、実施の形態１，２において、記憶部に記憶された運転データをリモコンの表示部に表示するに際して、運転データは、基準値との差が大きい順に並べられてもよい。ここで、基準値としては、実施の形態２にて説明したデータ基準値を例示することができる。
【００２７】
なお、実施の形態１，２においては室内機にのみ記憶部が含まれる構成について説明したが、本発明はこれに限定されるものではなく、リモコンにも記憶部が含まれていてもよい。このとき、リモコンに含まれる記憶部には室内機に含まれる記憶部と同じ内容を記憶すればよい。このような構成とすると、室内機に故障が生じても過去の運転データが失われないため、室内機及びリモコンのいずれかが故障してもメンテナンス時及び試運転時の運転データが失われず、システム異常時等における解析を円滑に行うための過去のデータを蓄積していくことが可能な空気調和機を得ることができる。また、このように、リモコンに含まれる記憶部と室内機に含まれる記憶部に同じ内容を記憶するに際しては、一方の記憶内容の書き換えが行われる際に他方の記憶内容の書き換えを行う設定でもよいし、または、一定の周期（例えば、一日毎）で記憶内容の更新を行う設定としてもよい。
【００２８】
また、リモコンが他の空気調和機と兼用されている場合（１つのリモコンで複数の空気調和機を制御している場合）に上記のようにリモコンにも記憶部が含まれる構成とすると、リモコンに含まれる記憶部が室内機に含まれる記憶部と同じ内容を記憶して、複数の空気調和機間の運転データを比較することも可能となる。
【００２９】
また、上記のようにリモコンにも記憶部が含まれ、リモコンに含まれる記憶部が室内機に含まれる記憶部と同じ内容を記憶する場合、リモコンを他の（新しい）リモコンに交換した際には、例えば初期設定時に室内機の記憶部から過去のデータを読み出して他の（新しい）リモコンの記憶部に保存するとよい。このような構成とすることで、リモコンの交換後においても交換前からの蓄積データを室内機の記憶部とリモコンの記憶部の双方に記憶させることができ、過去のデータが失われることを防止することができる。
【産業上の利用可能性】
【００３０】
以上のように、本発明にかかる空気調和機は、リモコンにより動作制御される場合に有用である。
【符号の説明】
【００３１】
１，１ａ  室内機、２，２ａ  記憶部、３  リモコン、４  表示部、５  室外機、６  操作ボタン、７  ランプ、８  補正部、１０，５１  熱交換器、１１，５３  熱交換器データ取得部、５０  圧縮機、５２  圧縮機データ取得部。
【図１】
2015224814.tif 000003
【図２】
2015224814.tif 000004
【図３】
2015224814.tif 000005